(57)【特許請求の範囲】
【請求項１】
機体内に形成した貯留部または穀槽部に張り込む穀粒に対し導風路を介し乾燥風を送給して穀粒を乾燥する穀物乾燥機において、それの機体内に形成した貯留部または穀槽部の内部で、乾燥風を直接浴びることのない部位に、通電により発熱して遠赤外線を放射するカーボン類を発熱体とするヒータを、紐状乃至条線状に成形してクロス・シート類に保持せしめ、それを取付板に取付けて配位し、その取付板の機体に対する組付けにより装設してなる遠赤外線発生装置内蔵の穀物乾燥機。
【請求項２】
通電により発熱して遠赤外線を放射するカーボン類を発熱体とするヒータを紐状乃至条線状に成形してクロス・シート類に保持せしめ、そのクロス・シート類を、鏡面または反射面に仕上げた取付板の取付面に取付け、それの外面側を耐摩耗性の樹脂材よりなる透明度の高い保護板により被覆してなる穀物乾燥機用の遠赤外線発生装置。
【請求項３】
通電により発熱して遠赤外線を放射するカーボン類を発熱体とするヒータを紐状乃至条線状に成形してクロス・シート類に保持せしめ、そのクロス・シート類を、鏡面または反射面に仕上げた取付板の取付面に取付け、それの外面側を耐摩耗性の樹脂材よりなる透明度の高い保護板により被覆してなる遠赤外線発生装置を、それの取付板の取付面と反対側の背面が、互いに対向するように一対に並列させ、それらの対向面間に補強枠を介装してそれらを一体的に連結して、厚手の盤条乃至剛体枠状をなす遠赤外線発生装置に組立て、それを機体内部の貯留部または穀槽部の内腔に、その機体の対向する機壁間に渡架するように配位して、その対向する機壁間を補強する補強桟となるように組付け支架したことを特徴とする遠赤外線発生装置内蔵の穀物乾燥機。
【請求項４】
通電により発熱して遠赤外線を放射するカーボン類を発熱体とするヒータを紐状乃至条線状に成形してクロス・シート類に保持せしめ、そのクロス・シート類を、鏡面または反射面に仕上げた取付板の取付面に取付け、それの外面側を耐摩耗性の樹脂材よりなる透明度の高い保護板により被覆してなる遠赤外線発生装置を、それの取付板の取付面と反対側の背面が、互いに対向するように一対に並列させ、それらの対向面間に補強枠を介装してそれらを一体的に連結して、厚手のボード状乃至盤状をなす遠赤外線発生装置に組立て、その組立てた遠赤外線発生装置を機体内の貯留部または穀槽部の内腔に、そこに張り込まれる穀粒の流動を整流する整流板となるように多連に並列させて装設したことを特徴とする遠赤外線発生装置内蔵の穀物乾燥機。
【発明の詳細な説明】
【０００１】
【発明が属する技術分野】
本発明は、乾燥すべき穀粒を、箱状乃至塔状に形成した機体内に張り込み、それに乾燥風を送給して乾燥させる穀物乾燥機のうちで、機体内に遠赤外線発生装置を装備せしめた形態の穀物乾燥機についての改良に関する。
【０００２】
【従来の技術】
機体内の穀槽部または貯留部に張り込んだ穀粒に対し乾燥風を送給して乾燥させる穀物乾燥機は、穀粒に対して送給する乾燥風を、通常、灯油を燃焼させるバーナー装置の燃焼作動で生成する燃焼ガスを外気で稀釈して、穀物の乾燥に適応する温度の熱風とすることで生成していることで、乾燥風である熱風を生成するのに燃料費が嵩み、また、灯油の燃焼の際に生じてくる炭酸ガスを、乾燥作業の間、大量に発生させることで地球環境を悪くし、また、燃焼ガスの熱風による過激な乾燥により食味を損なっていることなどから、燃料費の節減と炭酸ガスの生成量の削減および食味の向上を図るために、熱風を送給する導風路に、加熱により遠赤外線を発生させる遠赤発生体を設けておいて、乾燥風である熱風の供給により遠赤外線を発生させる遠赤外線発生装置を内蔵させた形態の穀物乾燥機が作られるようになってきている。
【０００３】
【発明が解決しようとする課題】
上述の遠赤外線発生装置を装備せる穀物乾燥機は、穀粒を乾燥させるために機体内の導風路に送給する熱風により遠赤発生体を加熱して遠赤外線を発生させるようにしていることから、乾燥作業中、穀粒の進行により熱風の供給量を変えるよう調節・制御を行うことによる、熱風の風量の変化および機体内に張り込んだ穀粒の詰まり具合の影響による熱風の流れの変化により、遠赤外線の発生率にむらが生じてきて、むら乾燥を生ぜしめることが多い問題がある。
【０００４】
本発明は、従来手段に生じている上述の問題を解消せしめるためになされたものであって、むら乾燥を生ぜしめることなく、遠赤外線を用いて、穀粒の乾燥が、消費燃料を節減し、炭酸ガスの発生量を抑え、食味を向上させた状態で行い得るようにする新たな手段を提供することを目的とする。
【０００５】
【課題を解決するための手段】
そして、本発明においては、この目的を達成するための手段として、機体内に形成した貯留部または穀槽部に張り込む穀粒に対し導風路を介し乾燥風を送給して穀粒を乾燥する穀物乾燥機において、それの機体内に形成した貯留部または穀槽部の内部で、乾燥風を直接浴びることのない部位に、通電により発熱して遠赤外線を放射するカーボン類を発熱体とするヒータを、紐状乃至条線状に成形してクロス・シート類に保持せしめ、それを取付板に取付けて配位し、その取付板の機体に対する組付けにより装設してなる遠赤外線発生装置内蔵の穀物乾燥機を提起するものである。
【０００６】
【発明の実施の形態】
本発明手段は、穀物乾燥機の乾燥機本体については、従前のものと同様に、機体を竪型の箱状乃至塔状に形成し、それの内部の上半側に乾燥すべき穀粒を張り込み貯留する貯留部または穀槽部を形成し、機体内の下半側に、熱風を導く導風路と、貯留部または穀槽部から流下してくる穀粒を流過させる穀粒の流下路と、前記導風路から吹き出されて穀粒の流下路を横切って吹き抜けた熱風を排風として導く排風路とが、それぞれ通気性の隔壁を介して並列する乾燥部を装設し、機体の外面側には、前記導風路に供給する熱風を生成するためのバーナー装置よりなる熱風生成装置を装架するとともに、排風路から排風を機外に引き出す吸引式の送風機を装架し、機体内の上部および下部には、穀粒張込用の上部コンベアおよび穀粒排出用の下部コンベアを装設し、さらに、機体の外面に穀粒を揚送する昇降機を設け、それの上端側を前記上部コンベアの始端側に連通し、下端側に前記下部コンベアの終端側に連通し、これにより貯留部または穀槽部に張り込んだ穀粒が、上部コンベア・下部コンベア・昇降機等の穀粒移送手段により循環流動して順次乾燥部の穀粒流下路を流過していくときに、熱風生成装置で生成されて導風路の通気性の隔壁から吹き出される熱風を浴びることで、穀粒の乾燥作動が行われるように構成してよい。
【０００７】
また、この穀物乾燥機の乾燥機本体は、それの機体を竪型円筒状に形成して、穀粒を張り込むようその機体内に形成する貯留部または穀槽部の床板を、通気性の隔壁で形成して、その床板の下方の、機体内の底部に形成される空間を、熱風の導風路とし、そこに、熱風生成装置で生成した熱風または常温の空気からなる乾燥風を送風機により圧送して、床板の上面に堆積している穀粒に対し、その床板を構成している通気性の隔壁の通気孔を介して乾燥風を送給することで乾燥させるように構成した竪型円筒式のものであってもよい。
【０００８】
そして、このように適宜構成される穀物乾燥機の機体内には、導風路に吹き込まれる乾燥風を直接浴びることのない部位で、機体内に張り込んだ穀粒と接触する個所を選択して、そこに、通電により発熱して遠赤外線を放射するカーボンファイバー、カーボン粒子等のカーボン類を発熱体とするヒータを配設する。
【０００９】
このヒータの機体に対する組付けは、発熱体とするカーボン類を、紐状乃至条線状に連続させた形状に成形して、それを柔軟なクロス・シート等のクロス類または板状のボード類に貼着保持せしめて、クロスヒータまたはボードヒータの形態とし、これを取付板に取付け支架せしめて、その取付板の機体の周壁または機枠に対する組付けで行うことが、ヒータに対する通電のための電気配線工事を容易にすることで有効である。
【００１０】
このカーボン類を発熱体とするヒータからの遠赤外線の穀粒に対する放射の効率を良くしようとする場合は、カーボン類を発熱体とするヒータを支架せしめる取付板の、ヒータ取付面を平滑面にし、さらに、アルミコーティングまたは銀メッキするなどで、鏡面または反射面に仕上げて、ヒータの穀粒に対する側に遠赤外線の放射が集中するようにする。
【００１１】
機体内で、送給される乾燥風を直接浴びることのない個所に配設するこのカーボン類を発熱体とするヒータは、前述した如く、クロス・シート・ボード等に保持せしめて取付板に支架してパネル状に形成した場合にあっては、機体の機壁の内面または機体のフレームに取付板を組付けることで、その取付板のヒータ取付面に取付けたヒータの外面側が、垂直な面に沿う状態また所定の角度に傾斜した流穀板となる姿勢として装設し得るようになる。このとき、穀粒が接触してくるヒータの外面側には、ポリカーボネイト板などの耐摩耗性で透明度を高くした保護板を設けて、このヒータの外面側を覆うようにする。
【００１２】
また、ヒータを、機体内に張り込む穀粒の堆積層の中に没入するように配設するときは、一対のパネル状のヒータの基板となる取付板が背中合わせに対向するように組み合わせて、板の厚手の板状乃至盤状に組立てて用いる。
【００１３】
このとき、この板状乃至盤状に組立てらたヒータの構造体は、機体内を横切って対向する機壁間に渡架される長さの剛体枠状に組立てておくことで、機体内に張り込む穀粒の圧力で機壁が外側に膨らむよう変形するのを防止する補強桟を兼ねたものとなる。
【００１４】
また、機体内に、対向する機壁間に渡架される補強桟が装填してあるときは、逆に、この補強桟をヒータ組付用のフレームに利用して、この補強桟にパネル状に組立てたヒータを取付けるようにしてもよい。
【００１５】
【実施例】
次に実施例を図面に従い説明する。
図１は本発明手段を実施せる穀物乾燥機の正面図、図２は同上穀物乾燥機の一部破断した正面図で、同図において，Ａは穀物乾燥機、１はそれの機体、Ｂ…はその機体１内に装備さしめた遠赤外線発生装置を示す。
【００１６】
穀物乾燥機Ａは、機体１を竪型の箱状乃至塔状に形成し、それの内腔の上半側に乾燥すべき穀粒を張り込んで貯留する貯留部ａを形成し、下半側に、貯留部ａから流下してくる穀粒を流過させる穀粒の流下路１０とそれを流過する穀粒に浴びせる乾燥風を導く導風路１１と、その流下路１０を横切って流過した乾燥風を排風として導く排風路１２とが、通気性の隔壁１３…を介して並列する乾燥部ｂを装設し、機体１の外面の前面側に、前記乾燥部ｂの導風路１１に送給する乾燥風を生成する熱風生成装置２を、灯油を燃焼させるバーナー装置とそれを囲うハウジング２０とで構成して装架し、機体１の外面の後面側に前記乾燥部ｂの排風路１２から排風を吸引して排除する吸引式の排風機（図示省略）を装架し、機体１の前面には穀粒を揚送する昇降機３を立設し、それの上端側に設けた放出筒部３０を、機体１の頂部に設けた穀粒張込用の上部コンベア１４の始端側と穀粒取出樋３１とに切り換え自在に接続し、機体１内の底部に、乾燥部ｂの穀粒の流下路１０・１０を流下する穀粒の流過量を制御する回転シャッター１５と、その流下路１０・１０を流下した穀粒を機外に搬出する下部コンベア１６とを装設し、その下部コンベア１６の機体１前面に突出する終端側を連通樋１７を介して前述の昇降機３の下部に接続連通することで構成する通常の竪型箱状の穀物乾燥機である。
【００１７】
遠赤外線発生装置Ｂは、クロスヒータ４とそれを取付ける取付板５とで形成されている。それのクロスヒータ４は、図３にあるように、綿糸により帯状に編成した織布４０の表面側の巾方向における両側部に、多数本の銅の細線を並列させて薄い帯紐状に形成した端子盤４１…を、織布４０の長手方向に、電気的に遮断される少しの間隔をおいて、それぞれ列状に配位し、かつ、それら端子盤４１…は、長手方向において形成した前述の間隔が、左右の端子盤４１…の条列と条列との関係においてそれぞれ喰い違って位置するように配置し、その状態においてそれぞれ織布４０に貼着して、平行する二本の条列状にし、これら二条の端子盤４１…間に、カーボンファイバーを紐状乃至条線状に成形したヒータ４２…を、織布４０の長手方向に適宜の間隔をおいて並列渡架し、二条の条列状の端子盤４１…のうちの、織布４０の一端側に位置する端子盤４１に銅線よりなる端子線４３の一端を接続してそれの他端を織布４０の他端側に設けた端子極４４に接続し、織布４０の他端側に位置する端子盤４１には前記端子極４４と対向する端子極４５を接続して設け、それら端子極４４・４５に接続コード４６・４６を接続し、この織布４０の表面側および裏面側の両面を、透明な樹脂材で被覆して、クロスヒータ４に形成してある。
【００１８】
このクロスヒータ４を、取付ける取付板５は、図４に示している如く、取付面５０と反対側の背面側に、横向きのチャンネル状をなす形状に成形されて取付板５の長手方向に連続する補強枠５１を連結止着し、かつ、背面側が背中合わせに対向するように二枚一組に対向させて、それぞれの背面側に止着した前記補強枠５１・５１を対向する相手方の取付板５・５の背面側に連結止着して、この対向する二枚の取付板５・５が補強枠５１・５１を介して一体に連結する剛体枠状のフレームｆを組立てている。そして、それの外面側となるそれぞれの取付板５・５の取付面５０・５０を鏡面または反射面に仕上げておいて、それに、前述のクロスヒータ４・４をそれぞれ重合して取付け、さらに、その外面側にポリカーボネイトからなる透明な保護板６・６をそれぞれ重合してセットボルト５２…により取付けている。
【００１９】
この二枚の取付板５・５を一対に対向させて連結することで組立てらる前述のフレームｆは、それの上面側に、かまぼこ状に成形した天板７を被せて一体に組付けてあり、さらに、長手方向の両端には、別に成形しておく端面板８・８を当接して、それの両側の折曲壁８ａ・８ａを前記保護板６・６の外面に重合して一体に組付け、この端面板８・８に形設しておくコード引出口８０・８０から、一対の取付板５・５にそれぞれ取付けたクロスヒータ４・４の各端子極４４・４５に接続するコード４６…を引き出すことで、ユニット状の遠赤外線発生装置Ｂに組立てられている。
【００２０】
そして、この剛体枠状のユニット状に組立てられた遠赤外線発生装置Ｂは、それの長手方向の長さが、機体１の前後の機壁間の寸法に対応するように形成してあって、これを、図２にあるように、機体１内の貯留部ａの底部に、左右に並列させて、機体１の前後の機壁間に渡架するように配位し、その前後の機壁に予め開設しておくボルト挿通孔９０…から、遠赤外線発生装置Ｂのフレームｆに組付けた端面板８・８にあけてあるボルト穴８１・８１およびそのフレームｆの内腔を通して、機体１の前後に機壁間にボルト９…を貫通させ、そのボルト９…の両端部を機体１の前後の機壁の外面にナットにより締着することで、これら遠赤外線発生装置Ｂ…が、それのフレームｆ…を機体１の前後の機壁間に補強する補強桟となって機体１に組付けられるようにしてある。
【００２１】
そしてまた、この遠赤外線発生装置Ｂ…は、図２にあるように仕切板状に並列させて乾燥部ｂの穀粒の流下路１０・１０の上方に装設しておくことで、貯留部ａから乾燥部ｂに流下していく穀粒の流れを整流する役割を果たす整流板を兼ねたものとなるようにしてある。
【００２２】
図１において、９１…は、機体１内に組付けた遠赤外線発生装置Ｂのヒータ４２…の端子極４４・４５に接続する接続コード４６・４６…を、機体１の外面側に導き出すように、機体１の機壁に開設したコード引出穴である。
【００２３】
【発明の効果】
以上説明したように、本発明による遠赤外線発生装置内蔵の穀物乾燥機は、通電により発熱して遠赤外線を放射するカーボン類を発熱体とするヒータを紐状ないし条線状に成形してクロス・シート類に保持せしめ、それを取付板に取付けて、遠赤外線発生装置を構成し、それを機体内の貯留部または穀槽部の内部で、導風路に送給される乾燥風を直接浴びることのない部位に配位し、その取付板により機体に対し組付けるようにしているのだから、遠赤外線発生装置は、導風路に送給される乾燥風の影響を受けることなく、それのヒータへの通電の制御により所望の量の遠赤外線を安定して放射し穀粒に浴びせるようになるので穀粒の乾燥が、消費燃料を節減し、炭酸ガスの発生量を抑え、食味を向上させた状態で行えるようになる。
【図面の簡単な説明】
【図１】本発明を実施せる穀物乾燥機の正面図である。
【図２】同上の穀物乾燥機の一部破断した正面図である。
【図３】同上の穀物乾燥機の機内に組込む遠赤外線発生装置のヒータの斜視図である。
【図４】同上の穀物乾燥機の機内に組込む遠赤外線発生装置の組立途上の斜視図である。
【図５】同上の穀物乾燥機の機内に組込む遠赤外線発生装置の組立てた状態における縦断正面図である。
【符号の説明】
Ａ…穀物乾燥機、Ｂ…遠赤外線発生装置、ａ…貯留部、ｂ…乾燥部、ｆ…フレーム、１…機体、１０…流下路、１１…導風路、１２…排風路、１３…隔壁、１４…上部コンベア、１５…回転シャッター、１６…下部コンベア、１７…連通樋、２…熱風生成装置、２０…ハウジング、３…昇降機、３０…放出筒部、３１…穀粒取出樋、４…クロスヒータ、４０…織布、４１…端子盤、４２…ヒータ、４３…端子線、４４・４５…端子極、４６…接続コード、５…取付板、５０…取付面、５１…補強枠、５２…セットボルト、６…保護板、７…天板、８…端面板、８ａ…折曲壁、８０…コード引出口、８１…ボルト穴、９…ボルト、９０…ボルト挿通孔、９１…コード引出穴。
【図１】
0004034480.tif 000002
【図２】
0004034480.tif 000003
【図３】
0004034480.tif 000004
【図４】
0004034480.tif 000005
【図５】
0004034480.tif 000006